(57)【要約】【課題】共聴システムにおいて、放送信号に含まれる再配信前の周波数情報とケーブルを介して実際に伝送される信号の再配信周波数との対応付けを受信装置側で管理する。【解決手段】衛星系受信チャンネル情報８１０は、ネットワーク情報テーブル（ＮＩＴ）において順不同に記述されている。共聴システムの再配信設備における周波数配置をネットワーク毎に周波数の昇順とすることに定めておく。受信装置では衛星系受信チャンネル情報８１０の周波数７５３を昇順に整列して周波数変換テーブル８３０の受信周波数８３１に登録する。また、受信装置では有線周波数テーブル８２０における有線チャンネル８２１の有線周波数８２２に従って選局し、正常に受信できるチャンネルの有線周波数を周波数変換テーブル８３０の変換周波数８３２に登録する。【選択図】      図１２
2004266365.tif 000002
【特許請求の範囲】
【請求項１】
複数のネットワークからの放送信号を再配信する共聴システムにおいて、
前記再配信された放送信号の再配信周波数を保持する再配信周波数テーブルと、
前記再配信周波数テーブルに保持された前記再配信周波数の放送信号を前記ネットワーク毎に順次選局する手段と、
前記複数のネットワークのうち前記選局に成功した放送信号を提供するネットワークに含まれるチャンネルのチャンネル情報を取得する手段と、
前記チャンネル情報を前記ネットワーク毎に所定の順序に整列する手段と、
前記整列されたチャンネル情報と前記選局に成功した放送信号の再配信周波数とを対応付ける手段と
を具備することを特徴とする受信装置。
【請求項２】
前記チャンネル情報は前記チャンネルの前記ネットワークにおける再配信前周波数を有し、
前記整列されたチャンネル情報の再配信前周波数と前記選局に成功した放送信号の再配信周波数とを対応付ける周波数変換テーブルを生成する手段をさらに具備する
ことを特徴とする請求項１記載の受信装置。
【請求項３】
前記チャンネル情報は前記チャンネルに含まれるサービスのサービス識別子をさらに有する
ことを特徴とする請求項２記載の受信装置。
【請求項４】
前記周波数変換テーブルの内容を表示する手段をさらに具備する
ことを特徴とする請求項２記載の受信装置。
【請求項５】
前記チャンネル情報の再配信前周波数の数と前記選局に成功した放送信号の再配信周波数の数とを比較する手段と、
前記チャンネル情報の再配信前周波数の数と前記選局に成功した放送信号の再配信周波数の数とが一致しない場合に再試行を促す手段と
をさらに具備することを特徴とする請求項２記載の受信装置。
【請求項６】
前記周波数変換テーブルを生成した後に前記複数のネットワークに含まれるチャンネルの再配信前周波数を有する第２のチャンネル情報を取得する手段と、
前記第２のチャンネル情報の再配信前周波数の数と前記周波数変換テーブルの再配信周波数の数とを比較する手段と、
前記第２のチャンネル情報の再配信前周波数の数と前記周波数変換テーブルの再配信周波数の数とが一致しない場合に再試行を促す手段と
をさらに具備することを特徴とする請求項２記載の受信装置。
【請求項７】
前記周波数変換テーブルが生成されるまでの処理の進行状況を表示する手段をさらに具備する
ことを特徴とする請求項２記載の受信装置。
【請求項８】
複数のネットワークからの放送信号を再配信する共聴システムにおいて前記再配信された放送信号の再配信周波数を保持する再配信周波数テーブルを備える受信装置における周波数設定方法であって、
前記再配信周波数テーブルに保持された前記再配信周波数の放送信号を前記ネットワーク毎に順次選局する手順と、
前記複数のネットワークのうち前記選局に成功した放送信号を提供するネットワークに含まれるチャンネルのチャンネル情報を取得する手順と、
前記チャンネル情報を前記ネットワーク毎に所定の順序に整列する手順と、
前記整列されたチャンネル情報と前記選局に成功した放送信号の再配信周波数とを対応付ける手順と
を具備することを特徴とする周波数設定方法。
【請求項９】
複数のネットワークからの放送信号を再配信する共聴システムにおいて前記再配信された放送信号の再配信周波数を保持する再配信周波数テーブルを備える受信装置における周波数設定方法であって、
前記再配信周波数テーブルに保持された前記再配信周波数の放送信号を前記ネットワーク毎に順次選局する手順と、
前記複数のネットワークのうち前記選局に成功した放送信号を提供するネットワークにおけるチャンネルの再配信前周波数を有するチャンネル情報を取得する手順と、
前記チャンネル情報を前記ネットワーク毎に所定の順序に整列する手順と、
前記整列されたチャンネル情報の再配信前周波数と前記選局に成功した放送信号の再配信周波数とを対応付ける周波数変換テーブルを生成する手順と
を具備することを特徴とする周波数設定方法。
【請求項１０】
前記チャンネル情報の再配信前周波数の数と前記選局に成功した放送信号の再配信周波数の数とを比較する手順と、
前記チャンネル情報の再配信前周波数の数と前記選局に成功した放送信号の再配信周波数の数とが一致しない場合に再試行を促す手順と
をさらに具備することを特徴とする請求項９記載の周波数設定方法。
【請求項１１】
前記周波数変換テーブルを生成した後に前記複数のネットワークに含まれるチャンネルの再配信前周波数を有する第２のチャンネル情報を取得する手順と、
前記第２のチャンネル情報の再配信前周波数の数と前記周波数変換テーブルの再配信周波数の数とを比較する手順と、
前記第２のチャンネル情報の再配信前周波数の数と前記周波数変換テーブルの再配信周波数の数とが一致しない場合に再試行を促す手順と
をさらに具備することを特徴とする請求項９記載の周波数設定方法。
【請求項１２】
複数のネットワークからの放送信号を再配信する共聴システムにおいて前記再配信された放送信号の再配信周波数を保持する再配信周波数テーブルを備える受信装置において、
前記再配信周波数テーブルに保持された前記再配信周波数の放送信号を前記ネットワーク毎に順次選局する手順と、
前記複数のネットワークのうち前記選局に成功した放送信号を提供するネットワークに含まれるチャンネルのチャンネル情報を取得する手順と、
前記チャンネル情報を前記ネットワーク毎に所定の順序に整列する手順と、
前記整列されたチャンネル情報と前記選局に成功した放送信号の再配信周波数とを対応付ける手順と
をコンピュータに実行させることを特徴とするプログラム。
【請求項１３】
複数のネットワークからの放送信号を再配信する共聴システムにおいて前記再配信された放送信号の再配信周波数を保持する再配信周波数テーブルを備える受信装置において、
前記再配信周波数テーブルに保持された前記再配信周波数の放送信号を前記ネットワーク毎に順次選局する手順と、
前記複数のネットワークのうち前記選局に成功した放送信号を提供するネットワークにおけるチャンネルの再配信前周波数を有するチャンネル情報を取得する手順と、
前記チャンネル情報を前記ネットワーク毎に所定の順序に整列する手順と、
前記整列されたチャンネル情報の再配信前周波数と前記選局に成功した放送信号の再配信周波数とを対応付ける周波数変換テーブルを生成する手順と
をコンピュータに実行させることを特徴とするプログラム。
【請求項１４】
前記チャンネル情報の再配信前周波数の数と前記選局に成功した放送信号の再配信周波数の数とを比較する手順と、
前記チャンネル情報の再配信前周波数の数と前記選局に成功した放送信号の再配信周波数の数とが一致しない場合に再試行を促す手順と
をさらにコンピュータに実行させることを特徴とする請求項１３記載のプログラム。
【請求項１５】
前記周波数変換テーブルを生成した後に前記複数のネットワークに含まれるチャンネルの再配信前周波数を有する第２のチャンネル情報を取得する手順と、
前記第２のチャンネル情報の再配信前周波数の数と前記周波数変換テーブルの再配信周波数の数とを比較する手順と、
前記第２のチャンネル情報の再配信前周波数の数と前記周波数変換テーブルの再配信周波数の数とが一致しない場合に再試行を促す手順と
をさらにコンピュータに実行させることを特徴とする請求項１３記載のプログラム。
【請求項１６】
複数のネットワークからの放送信号を再配信する共聴システムにおいて前記再配信された放送信号の再配信周波数を保持する再配信周波数テーブルを備える受信装置において、
前記再配信周波数テーブルに保持された前記再配信周波数の放送信号を前記ネットワーク毎に順次選局する手順と、
前記複数のネットワークのうち前記選局に成功した放送信号を提供するネットワークに含まれるチャンネルのチャンネル情報を取得する手順と、
前記チャンネル情報を前記ネットワーク毎に所定の順序に整列する手順と、
前記整列されたチャンネル情報と前記選局に成功した放送信号の再配信周波数とを対応付ける手順と
をコンピュータに実行させるためのプログラムを記録したことを特徴とするコンピュータ読み取り可能な記録媒体。
【請求項１７】
複数のネットワークからの放送信号を再配信する共聴システムにおいて前記再配信された放送信号の再配信周波数を保持する再配信周波数テーブルを備える受信装置において、
前記再配信周波数テーブルに保持された前記再配信周波数の放送信号を前記ネットワーク毎に順次選局する手順と、
前記複数のネットワークのうち前記選局に成功した放送信号を提供するネットワークにおけるチャンネルの再配信前周波数を有するチャンネル情報を取得する手順と、
前記チャンネル情報を前記ネットワーク毎に所定の順序に整列する手順と、
前記整列されたチャンネル情報の再配信前周波数と前記選局に成功した放送信号の再配信周波数とを対応付ける周波数変換テーブルを生成する手順と
をコンピュータに実行させるためのプログラムを記録したことを特徴とするコンピュータ読み取り可能な記録媒体。
【請求項１８】
前記チャンネル情報の再配信前周波数の数と前記選局に成功した放送信号の再配信周波数の数とを比較する手順と、
前記チャンネル情報の再配信前周波数の数と前記選局に成功した放送信号の再配信周波数の数とが一致しない場合に再試行を促す手順と
をさらにコンピュータに実行させるためのプログラムを記録したことを特徴とする請求項１７記載のコンピュータ読み取り可能な記録媒体。
【請求項１９】
前記周波数変換テーブルを生成した後に前記複数のネットワークに含まれるチャンネルの再配信前周波数を有する第２のチャンネル情報を取得する手順と、
前記第２のチャンネル情報の再配信前周波数の数と前記周波数変換テーブルの再配信周波数の数とを比較する手順と、
前記第２のチャンネル情報の再配信前周波数の数と前記周波数変換テーブルの再配信周波数の数とが一致しない場合に再試行を促す手順と
をさらにコンピュータに実行させるためのプログラムを記録したことを特徴とする請求項１７記載のコンピュータ読み取り可能な記録媒体。
【発明の詳細な説明】
【０００１】
【発明の属する技術分野】
本発明は、受信装置およびその設定方法に関し、特に衛星放送の共聴システムにおいて再配信された放送信号を受信する受信装置、および、その受信装置における処理方法ならびに当該方法をコンピュータに実行させるプログラムおよびそのプログラムを記録する記録媒体に関する。
【０００２】
【従来の技術】
共同住宅等においては、共同のアンテナを設けてこの共同のアンテナで受信された放送信号を各戸に再配送する共聴システムが利用されている。この共聴システムでは、ＶＨＦ（Ｖｅｒｙ  Ｈｉｇｈ  Ｆｒｅｑｕｅｎｃｙ）帯やＵＨＦ（Ｕｌｔｒａ  Ｈｉｇｈ  Ｆｒｅｑｕｅｎｃｙ）帯の地上波放送のアナログ信号に加えて、放送衛星（ＢＳ：Ｂｒｏａｄｃａｓｔ  Ｓａｔｅｌｌｉｔｅ）放送や通信衛星（ＣＳ：Ｃｏｍｍｕｎｉｃａｔｉｏｎ  Ｓａｔｅｌｌｉｔｅ）放送のデジタル信号を配送することが期待されている。
【０００３】
この共聴システムにおいて再配送するに際しては、ＢＳ放送とＣＳ放送との間で中間周波数信号の帯域が重なるため、全ての信号を単純に混合して１本のケーブルで伝送することはできない。一方、ＣＳ放送の信号を伝送するためのケーブルを別途敷設することとすると、大がかりな工事が必要となり、また、各戸の受信装置においてケーブルの切り替えスイッチ等の付加機器が必要となる。そのため、ＣＳ放送の信号の変調方式を変換した上で空きチャンネルに周波数をシフトして１本のケーブルで伝送する変調変換方式が提案されている（例えば、特許文献１参照。）。
【０００４】
一方、そのような共聴システムにおいて変調変換方式を採用した場合、放送で使われているチャンネルとは異なる周波数のチャンネルに変更されるため、放送信号に含まれる周波数情報と、ケーブルを介して実際に伝送される信号の周波数とが一致しなくなる。デジタル信号の一例として、ＭＰＥＧ（Ｍｏｖｉｎｇ  Ｐｉｃｔｕｒｅ  Ｃｏｄｉｎｇ  Ｅｘｐｅｒｔｓ  Ｇｒｏｕｐ）２のトランスポートストリーム信号では、ネットワークに関する制御情報として周波数情報を有しており、この周波数情報に基づいて受信動作を行っている。従って、このネットワーク情報テーブルにおける周波数情報とケーブル上の周波数との対応付けを行う必要がある。
【０００５】
このような周波数の対応付けを受信装置側で自動的に行う技術として、例えば、地上波デジタル放送におけるネットワーク情報テーブルの周波数情報とケーブル上の周波数との対応関係を示す変換テーブルを受信装置側で自動的に作成する技術が提案されている（例えば、特許文献２参照。）。この従来技術では、周波数サーチモードで周波数を順に設定しながら信号が受信できるか否かを判断し、信号が受信できた場合のネットワーク情報テーブルの周波数情報とその設定されている周波数とを対応付けていくことにより周波数変換テーブルを生成している。
【０００６】
【特許文献１】
特開２００１−２４５１７５号公報（図１）
【特許文献２】
特開２００１−２７５０１１号公報（図７）
【０００７】
【発明が解決しようとする課題】
上述の従来技術では、周波数を順に設定して、ネットワーク情報テーブルの周波数情報とその設定されている周波数とを対応付けていくことにより周波数変換テーブルを生成している。これは、地上波デジタル放送ではネットワークとチャンネル（トランスポートストリーム）とが１対１に対応しており、取得したネットワーク情報テーブルには唯一の周波数情報しか含まれていないという前提があるからである。
【０００８】
しかしながら、ＣＳ放送においては、一つの衛星（ネットワーク）から複数のトランスポートストリームが供給されている一方で、同じ衛星からのトランスポートストリームには同一のネットワーク識別子が付与されている。従って、周波数を設定してネットワーク情報テーブルを取得しても、複数の周波数情報をランダムに含んでおり、設定された周波数に対応する周波数情報が何れであるかを即座に判断することができない。
【０００９】
そこで、本発明の目的は、共聴システムにおいて、放送信号に含まれる再配信前の周波数情報とケーブルを介して実際に伝送される信号の再配信周波数との対応付けを受信装置側で管理することにある。
【００１０】
【課題を解決するための手段】
上記課題を解決するために本発明の請求項１記載の受信装置は、複数のネットワークからの放送信号を再配信する共聴システムにおいて、上記再配信された放送信号の再配信周波数を保持する再配信周波数テーブルと、上記再配信周波数テーブルに保持された上記再配信周波数の放送信号を上記ネットワーク毎に順次選局する手段と、上記複数のネットワークのうち上記選局に成功した放送信号を提供するネットワークに含まれるチャンネルのチャンネル情報を取得する手段と、上記チャンネル情報を上記ネットワーク毎に所定の順序に整列する手段と、上記整列されたチャンネル情報と上記選局に成功した放送信号の再配信周波数とを対応付ける手段とを具備する。これにより、複数のネットワークにおけるチャンネルのチャンネル情報と再配信周波数との関係を受信装置に認識させるという作用をもたらす。
【００１１】
また、本発明の請求項２記載の受信装置は、請求項１記載の受信装置において、上記チャンネル情報が上記チャンネルの上記ネットワークにおける再配信前周波数を有し、上記整列されたチャンネル情報の再配信前周波数と上記選局に成功した放送信号の再配信周波数とを対応付ける周波数変換テーブルを生成する手段をさらに具備する。これにより、複数のネットワークにおける再配信前周波数と再配信周波数との関係を受信装置に認識させるという作用をもたらす。
【００１２】
また、本発明の請求項３記載の受信装置は、請求項２記載の受信装置において、上記チャンネル情報が上記チャンネルに含まれるサービスのサービス識別子をさらに有する。これにより、複数のネットワークにおけるサービス識別子と再配信周波数との関係を受信装置に認識させるという作用をもたらす。
【００１３】
また、本発明の請求項４記載の受信装置は、請求項２記載の受信装置において、上記周波数変換テーブルの内容を表示する手段をさらに具備する。これにより、複数のネットワークにおける再配信前周波数と再配信周波数との関係を利用者に認識させるという作用をもたらす。
【００１４】
また、本発明の請求項５記載の受信装置は、請求項２記載の受信装置において、上記チャンネル情報の再配信前周波数の数と上記選局に成功した放送信号の再配信周波数の数とを比較する手段と、上記チャンネル情報の再配信前周波数の数と上記選局に成功した放送信号の再配信周波数の数とが一致しない場合に再試行を促す手段とをさらに具備する。これにより、周波数設定の不具合を検知して再試行を促すという作用をもたらす。
【００１５】
また、本発明の請求項６記載の受信装置は、請求項２記載の受信装置において、上記周波数変換テーブルを生成した後に上記複数のネットワークに含まれるチャンネルの再配信前周波数を有する第２のチャンネル情報を取得する手段と、上記第２のチャンネル情報の再配信前周波数の数と上記周波数変換テーブルの再配信周波数の数とを比較する手段と、上記第２のチャンネル情報の再配信前周波数の数と上記周波数変換テーブルの再配信周波数の数とが一致しない場合に再試行を促す手段とをさらに具備する。これにより、チャンネルの増加を検知して再試行を促すという作用をもたらす。
【００１６】
また、本発明の請求項７記載の受信装置は、請求項２記載の受信装置において、上記周波数変換テーブルが生成されるまでの処理の進行状況を表示する手段をさらに具備する。これにより、周波数設定の処理の進行状況を利用者に認識させるという作用をもたらす。
【００１７】
また、本発明の請求項８記載の周波数設定方法は、複数のネットワークからの放送信号を再配信する共聴システムにおいて上記再配信された放送信号の再配信周波数を保持する再配信周波数テーブルを備える受信装置における周波数設定方法であって、上記再配信周波数テーブルに保持された上記再配信周波数の放送信号を上記ネットワーク毎に順次選局する手順と、上記複数のネットワークのうち上記選局に成功した放送信号を提供するネットワークに含まれるチャンネルのチャンネル情報を取得する手順と、上記チャンネル情報を上記ネットワーク毎に所定の順序に整列する手順と、上記整列されたチャンネル情報と上記選局に成功した放送信号の再配信周波数とを対応付ける手順とを具備する。これにより、複数のネットワークにおけるチャンネルのチャンネル情報と再配信周波数との関係を受信装置に認識させるという作用をもたらす。
【００１８】
また、本発明の請求項９記載の周波数設定方法は、複数のネットワークからの放送信号を再配信する共聴システムにおいて上記再配信された放送信号の再配信周波数を保持する再配信周波数テーブルを備える受信装置における周波数設定方法であって、上記再配信周波数テーブルに保持された上記再配信周波数の放送信号を上記ネットワーク毎に順次選局する手順と、上記複数のネットワークのうち上記選局に成功した放送信号を提供するネットワークにおけるチャンネルの再配信前周波数を有するチャンネル情報を取得する手順と、上記チャンネル情報を上記ネットワーク毎に所定の順序に整列する手順と、上記整列されたチャンネル情報の再配信前周波数と上記選局に成功した放送信号の再配信周波数とを対応付ける周波数変換テーブルを生成する手順とを具備する。これにより、複数のネットワークにおける再配信前周波数と再配信周波数との関係を受信装置に認識させるという作用をもたらす。
【００１９】
また、本発明の請求項１０記載の周波数設定方法は、請求項９記載の周波数設定方法において、上記チャンネル情報の再配信前周波数の数と上記選局に成功した放送信号の再配信周波数の数とを比較する手順と、上記チャンネル情報の再配信前周波数の数と上記選局に成功した放送信号の再配信周波数の数とが一致しない場合に再試行を促す手順とをさらに具備する。これにより、周波数設定の不具合を検知して再試行を促すという作用をもたらす。
【００２０】
また、本発明の請求項１１記載の周波数設定方法は、請求項９記載の周波数設定方法において、上記周波数変換テーブルを生成した後に上記複数のネットワークに含まれるチャンネルの再配信前周波数を有する第２のチャンネル情報を取得する手順と、上記第２のチャンネル情報の再配信前周波数の数と上記周波数変換テーブルの再配信周波数の数とを比較する手順と、上記第２のチャンネル情報の再配信前周波数の数と上記周波数変換テーブルの再配信周波数の数とが一致しない場合に再試行を促す手順とをさらに具備する。これにより、チャンネルの増加を検知して再試行を促すという作用をもたらす。
【００２１】
また、本発明の請求項１２記載のプログラムは、複数のネットワークからの放送信号を再配信する共聴システムにおいて上記再配信された放送信号の再配信周波数を保持する再配信周波数テーブルを備える受信装置において、上記再配信周波数テーブルに保持された上記再配信周波数の放送信号を上記ネットワーク毎に順次選局する手順と、上記複数のネットワークのうち上記選局に成功した放送信号を提供するネットワークに含まれるチャンネルのチャンネル情報を取得する手順と、上記チャンネル情報を上記ネットワーク毎に所定の順序に整列する手順と、上記整列されたチャンネル情報と上記選局に成功した放送信号の再配信周波数とを対応付ける手順とをコンピュータに実行させるものである。これにより、複数のネットワークにおけるチャンネルのチャンネル情報と再配信周波数との関係を受信装置に認識させるという作用をもたらす。
【００２２】
また、本発明の請求項１３記載のプログラムは、複数のネットワークからの放送信号を再配信する共聴システムにおいて上記再配信された放送信号の再配信周波数を保持する再配信周波数テーブルを備える受信装置において、上記再配信周波数テーブルに保持された上記再配信周波数の放送信号を上記ネットワーク毎に順次選局する手順と、上記複数のネットワークのうち上記選局に成功した放送信号を提供するネットワークにおけるチャンネルの再配信前周波数を有するチャンネル情報を取得する手順と、上記チャンネル情報を上記ネットワーク毎に所定の順序に整列する手順と、上記整列されたチャンネル情報の再配信前周波数と上記選局に成功した放送信号の再配信周波数とを対応付ける周波数変換テーブルを生成する手順とをコンピュータに実行させるものである。これにより、複数のネットワークにおける再配信前周波数と再配信周波数との関係を受信装置に認識させるという作用をもたらす。
【００２３】
また、本発明の請求項１４記載のプログラムは、請求項１３記載のプログラムにおいて、上記チャンネル情報の再配信前周波数の数と上記選局に成功した放送信号の再配信周波数の数とを比較する手順と、上記チャンネル情報の再配信前周波数の数と上記選局に成功した放送信号の再配信周波数の数とが一致しない場合に再試行を促す手順とをさらにコンピュータに実行させるものである。これにより、周波数設定の不具合を検知して再試行を促すという作用をもたらす。
【００２４】
また、本発明の請求項１５記載のプログラムは、請求項１３記載のプログラムにおいて、上記周波数変換テーブルを生成した後に上記複数のネットワークに含まれるチャンネルの再配信前周波数を有する第２のチャンネル情報を取得する手順と、上記第２のチャンネル情報の再配信前周波数の数と上記周波数変換テーブルの再配信周波数の数とを比較する手順と、上記第２のチャンネル情報の再配信前周波数の数と上記周波数変換テーブルの再配信周波数の数とが一致しない場合に再試行を促す手順とをさらにコンピュータに実行させるものである。これにより、チャンネルの増加を検知して再試行を促すという作用をもたらす。
【００２５】
また、本発明の請求項１６記載のコンピュータ読み取り可能な記録媒体は、複数のネットワークからの放送信号を再配信する共聴システムにおいて上記再配信された放送信号の再配信周波数を保持する再配信周波数テーブルを備える受信装置において、上記再配信周波数テーブルに保持された上記再配信周波数の放送信号を上記ネットワーク毎に順次選局する手順と、上記複数のネットワークのうち上記選局に成功した放送信号を提供するネットワークに含まれるチャンネルのチャンネル情報を取得する手順と、上記チャンネル情報を上記ネットワーク毎に所定の順序に整列する手順と、上記整列されたチャンネル情報と上記選局に成功した放送信号の再配信周波数とを対応付ける手順とをコンピュータに実行させるためのプログラムを記録したものである。これにより、複数のネットワークにおけるチャンネルのチャンネル情報と再配信周波数との関係を受信装置に認識させるという作用をもたらす。
【００２６】
また、本発明の請求項１７記載のコンピュータ読み取り可能な記録媒体は、複数のネットワークからの放送信号を再配信する共聴システムにおいて上記再配信された放送信号の再配信周波数を保持する再配信周波数テーブルを備える受信装置において、上記再配信周波数テーブルに保持された上記再配信周波数の放送信号を上記ネットワーク毎に順次選局する手順と、上記複数のネットワークのうち上記選局に成功した放送信号を提供するネットワークにおけるチャンネルの再配信前周波数を有するチャンネル情報を取得する手順と、上記チャンネル情報を上記ネットワーク毎に所定の順序に整列する手順と、上記整列されたチャンネル情報の再配信前周波数と上記選局に成功した放送信号の再配信周波数とを対応付ける周波数変換テーブルを生成する手順とをコンピュータに実行させるためのプログラムを記録したものである。これにより、複数のネットワークにおける再配信前周波数と再配信周波数との関係を受信装置に認識させるという作用をもたらす。
【００２７】
また、本発明の請求項１８記載のコンピュータ読み取り可能な記録媒体は、請求項１７記載の記録媒体において、上記チャンネル情報の再配信前周波数の数と上記選局に成功した放送信号の再配信周波数の数とを比較する手順と、上記チャンネル情報の再配信前周波数の数と上記選局に成功した放送信号の再配信周波数の数とが一致しない場合に再試行を促す手順とをさらにコンピュータに実行させるためのプログラムを記録したものである。これにより、周波数設定の不具合を検知して再試行を促すという作用をもたらす。
【００２８】
また、本発明の請求項１９記載のコンピュータ読み取り可能な記録媒体は、請求項１７記載の記録媒体において、上記周波数変換テーブルを生成した後に上記複数のネットワークに含まれるチャンネルの再配信前周波数を有する第２のチャンネル情報を取得する手順と、上記第２のチャンネル情報の再配信前周波数の数と上記周波数変換テーブルの再配信周波数の数とを比較する手順と、記第２のチャンネル情報の再配信前周波数の数と上記周波数変換テーブルの再配信周波数の数とが一致しない場合に再試行を促す手順とをさらにコンピュータに実行させるためのプログラムを記録したものである。これにより、チャンネルの増加を検知して再試行を促すという作用をもたらす。
【００２９】
【発明の実施の形態】
次に本発明の実施の形態について図面を参照して詳細に説明する。
【００３０】
図１は、本発明の実施の形態における共聴システムの一例を示す図である。本発明の実施の形態における共聴システムは、放送を受信して各戸に再配信する共聴再配信設備１０と、共聴再配信設備１０から再配信された信号を各戸に伝送するケーブル２０と、各戸における受信設備３０とを備えている。共聴再配信設備１０には、ＶＨＦ放送を受信するためのＶＨＦアンテナ２０１と、ＵＨＦ放送を受信するためのＵＨＦアンテナ２０２と、ＢＳ放送を受信するためのＢＳアンテナ２０３と、ＣＳ放送を受信するためのＣＳアンテナ１０１および１０２とが接続されている。共聴再配信設備１０は、ＣＳ放送の信号を変調変換する変調変換装置１００と、各信号を混合するブースタ２００とを備えている。また、各戸の受信設備３０は、再配信された放送を受信する受信装置３００と、受信装置３００により受信された放送の画像および音声を出力する受像装置４００とを備えている。
【００３１】
ＶＨＦアンテナ２０１およびＵＨＦアンテナ２０２の出力は、共聴再配信設備１０のブースタ２００に供給される。ＢＳアンテナ２０３は、出力部に低雑音増幅器（ＬＮＢ：Ｌｏｗ  Ｎｏｉｓｅ  Ｂｌｏｃｋ  Ｄｏｗｎ  Ｃｏｎｖｅｒｔｅｒ）を有しており、これにより１２ＧＨｚ帯のＢＳ信号の受信信号が１ＧＨｚ帯の中間周波数に変換されて、共聴再配信設備１０のブースタ２００に供給される。ＣＳアンテナ１０１および１０２も同様に、出力部に低雑音増幅器を有しており、これにより１２ＧＨｚ帯のＣＳ信号の受信信号が１ＧＨｚ帯の中間周波数に変換されて、共聴再配信設備１０の変調変換装置１００に供給される。
【００３２】
ＣＳ放送では、通信衛星からの１２ＧＨｚ帯の電波により放送が行われている。２台のＣＳアンテナ１０１および１０２を設けたのは、例えば、ＳｋｙＰｅｒｆｅｃｔＴＶのように、２台の通信衛星により放送サービスが行われる場合を想定したためである。これら通信衛星の各々からの信号には垂直偏波信号と水平偏波信号とがある。これに対応して、ＣＳアンテナ１０１および１０２には、垂直偏波信号出力端子と水平偏波信号出力端子とが設けられている。変調変換装置１００は、これら通信衛星の垂直偏波信号および水平偏波信号の変調方式を変換した上で、ケーブル２０における周波数にシフトする。この変調変換装置１００の出力は、ブースタ２００に供給される。ブースタ２０は、変調変換装置１００の出力を他のアンテナ２０１乃至２０３の出力とともに混合してケーブル２０上に出力する。
【００３３】
受信装置３００は、ケーブル２０から信号を受信して、放送内容を抽出する。そして、画像データおよび音声データを受像装置４００に出力する。受像装置４００は、受信装置３００からの画像データおよび音声データに従って画像および音声を出力する。これら受信装置３００および受像装置４００は、一体化されたデジタル放送受信可能なテレビジョン受像機として構成されてもよく、また、別個独立したセットトップボックスとテレビジョン受像機として構成されてもよい。
【００３４】
図２は、本発明の実施の形態における共聴再配信設備１０の変調変換装置１００の構成例を示す図である。変調変換装置１００は、ＣＳ放送のチャンネル（トランスポートストリーム）毎に設けられる信号処理部１１０と、これら信号処理部１１０の出力を合成する合成器１５０とを備えている。信号処理部１１０は、ＣＳアンテナ１０１または１０２の垂直偏波信号出力端子または水平偏波信号出力端子の何れか一つに接続され、ＣＳ放送の予め定められたチャンネルの中間周波信号の変調方式をＱＰＳＫから６４値ＱＡＭに変換した上で周波数をシフトする。
【００３５】
ＱＰＳＫ（Ｑｕａｄｒａｔｕｒｅ  Ｐｈａｓｅ  Ｓｈｉｆｔ  Ｋｅｙｉｎｇ）では、９０度づつ位相の異なる４相の搬送波を用いて変調が行われる。これに対して、６４値ＱＡＭ（Ｑｕａｄｒａｔｕｒｅ  Ａｍｐｌｉｔｕｄｅ  Ｍｏｄｕｌａｔｉｏｎ）では、信号点相互距離が離れた所に６４値をとって変調が行われる。ＱＡＭでは、ＱＰＳＫに比べて、伝送帯域幅を狭くして、多量のデータを伝送することが可能である。このため、ＱＰＳＫを６４値ＱＡＭに変換すると、狭帯域化が図れ、例えば２７ＭＨｚの帯域幅のＣＳ放送の１トランスポンダの信号（トランスポートストリーム）を、例えば６ＭＨｚの帯域幅の地上波放送の１チャンネルに割り当てて伝送することが可能となる。
【００３６】
信号処理部１１０は、チューナ１１１と、ＱＰＳＫ復調器１１２と、ＥＣＣデコーダ１１３と、ＥＣＣエンコーダ１１４と、ＱＡＭ変調器１１５と、周波数変換器１１６と、インターフェース１１７と、制御部１２０と、操作部１２１と、表示部１２２とを備えている。チューナ１１１には、ＣＳアンテナ１０１または１０２の垂直偏波信号出力端子または水平偏波信号出力端子の何れかが供給される。チューナ１１１は、ＣＳ放送の予め定められたチャンネルの中間周波信号を選択する。チューナ１１１の出力はＱＰＳＫ復調器１１２に供給される。ＱＰＳＫ復調器１１２は、チューナ１１１からのＱＰＳＫ変調された信号を復調する。
【００３７】
ＱＰＳＫ復調器１１２の出力はＥＣＣデコーダ１１３に供給され、このＥＣＣデコーダ１１３の出力はＥＣＣエンコーダ１１４に供給される。これらＥＣＣデコーダ１１３およびＥＣＣエンコーダ１１４は、エラー訂正符号を付加し直すものであり、ＥＣＣデコーダ１１３でリード・ソロモン符号とたたみ込み符号を使ったＥＣＣのデコード処理が行われた後に、ＥＣＣエンコーダ１１４によりリード・ソロモン符号によるＥＣＣのエンコード処理が行われる。これは、ＣＳ放送では、エラー訂正符号としてリード・ソロモン符号およびたたみ込み符号が用いられているが、ケーブル上の伝送においては、たたみ込み符号は用いられないからである。
【００３８】
ＥＣＣエンコーダ１１４の出力はＱＡＭ変調器１１５に供給される。ＱＡＭ変調器１１５は、６４値ＱＡＭ変調の変調処理を行う。ＱＡＭ変調器１１５の出力は周波数変換器１１６に供給される。周波数変換器１１６は、ＱＡＭ変調器１１５の出力信号を空いているチャンネルに対応した周波数に周波数変換する。この周波数変換器１１６の出力は合成器１５０に供給される。
【００３９】
これらチューナ１１１、ＱＰＳＫ復調器１１２、ＥＣＣデコーダ１１３、ＥＣＣエンコーダ１１４、ＱＡＭ変調器１１５、および、周波数変換器１１６における処理は、インターフェース１１７を介して制御部１２０により制御される。操作部１２１は、制御部１２０に対して入力設定を行う。表示部１２２は、設定状態等を表示する。
【００４０】
このようにして、各信号処理部１１０においてＣＳ放送の中間周波信号の変調方式がＱＰＳＫから６４値ＱＡＭに変換された上で周波数がシフトされた各信号は、合成器１５０において合成され、信号線１５９を介してケーブル２０により各戸へ伝送される。
【００４１】
図３は、本発明の実施の形態における周波数配置の一例を示す図である。この図３では２台の通信衛星（衛星系＃１および衛星系＃２）による放送サービスが想定されている。それぞれの通信衛星の信号は垂直偏波信号および水平偏波信号に分けられる。各通信衛星には、周波数の低い順に、ＪＤ１７からＪＤ２８およびＪＤ１からＪＤ１６の放送用チャンネルが割り当てられている。垂直偏波信号には奇数の付番が、水平偏波信号には偶数の付番がそれぞれされている。通信用途の場合には、チャンネル名称として、周波数の低い順にＫ１からＫ２８が使用される。図３では、衛星系＃２の前半が通信用途として確保されている。
【００４２】
この通信衛星の信号は、１２ＧＨｚ帯においてＱＰＳＫ変調されて送信される。放送用チャンネルＪＤ１７からＪＤ２８では周波数ピッチが４０ＭＨｚ、放送用チャンネルＪＤ１からＪＤ１６では周波数ピッチが３０ＭＨｚとなっている。各チャンネルにおいて、信号の帯域幅は２７ＭＨｚとなっている。これら通信衛星の信号は、アンテナにおける低雑音増幅器により１ＧＨｚ帯の中間周波数に変換される。
【００４３】
本発明の実施の形態では、これらＱＰＳＫ変調された信号は６４ＱＡＭに変調変換される。これにより、衛星系の帯域幅２７ＭＨｚの信号は、ケーブル２０上では帯域幅６ＭＨｚの有線系の信号になる。また、１ＧＨｚ帯の中間周波数から有線系の空きチャンネルに周波数シフトされる。この有線系における周波数配置は有線系周波数の小さい方から昇順に割り振るものとし、以下の２つの規則に従うものとする。
【００４４】
まず、第１に、複数ネットワークの信号を混在して配置しないものとする。ここにいうネットワークとは衛星を意味する。但し、ネットワークの順序は問わない。すなわち、図３では、衛星系＃１の信号から配置しているが、衛星系＃２の信号から配置するようにしてもよい。
【００４５】
第２に、各ネットワーク内のチャンネルの順序は、衛星系の周波数の昇順に整列されているものとする。例えば、図３の例で、チャンネルＪＤ２５の周波数はチャンネルＪＤ１の周波数よりも低いため、昇順に整列した場合にはＪＤ２５の方が先に配置され、有線系においてもＪＤ２５の方が低い周波数に割り振られる。但し、有線系におけるチャンネルの割振りは、連続周波数になっている必要はなく、飛びがあっても構わない。
【００４６】
図３の例では、衛星系＃１から先に配置され、次いで衛星系＃２が配置されている（第１の規則）。そして、各衛星について周波数の低い順（昇順）にチャンネルが選択され、有線系のチャンネルに配置されている（第２の規則）。図３において網掛けされた信号が、放送用に使用されているチャンネルを表している。従って、それ以外のチャンネルは再配置の対象とならない。
【００４７】
有線系の周波数配置においては、ＶＨＦおよびＵＨＦの地上波放送によって、ＶＨＦローバンドの帯域（９０ＭＨｚから１０８ＭＨｚ）、ＶＨＦハイバンドの帯域（１７０ＭＨｚから２２２ＭＨｚ）、ＵＨＦの帯域（４７０ＭＨｚから７７０ＭＨｚ）が使用されている。すなわち、ＶＨＦローバンドの帯域とＶＨＦハイバンドの帯域との間のミッドバンドの帯域（１０８ＭＨｚから１７０ＭＨｚ）およびＶＨＦハイバンドの帯域とＵＨＦの帯域との間のスーパーハイバンドの帯域（２２２ＭＨｚから４７０ＭＨｚ）は、未使用となっている。従って、これらミッドバンドの帯域およびスーパーハイバンドの帯域をＣＳ放送の有線系周波数として使用することが考えられる。ミッドバンドの帯域は約６０ＭＨｚ分、スーパーハイバンドの帯域は約２４６ＭＨｚ分確保されていることから、単純に計算しても５１チャンネル分を伝送することが可能となる。また、上述のＶＨＦやＵＨＦの帯域内であっても、部分的に空いているチャンネルが存在すれば、それを使用することができる。特に、ＵＨＦ帯については、地上波放送が数局存在するだけの場合が多く、使用可能なチャンネルは多いと考えられる。
【００４８】
このように、有線系のチャンネルは、上述の規則に従い、各ネットワーク（衛星）毎に衛星系の周波数順に整列されて配置される。
【００４９】
図４は、本発明の実施の形態における受信装置３００の構成を示す図である。図４において、ケーブル２０（図１）から引き込まれた入力信号線３０１の信号は、フロントエンド部３１０に供給される。フロントエンド部３１０は、チューナ３１１と、ＱＡＭ復調器３１２と、誤り訂正回路３１３とを備える。入力信号線３０１からの信号は、フロントエンド部３１０のチューナ３１１に供給され、チューナ３１１により、ケーブル２０を介して送られてきた信号の中から、所望の周波数の信号が選択される。このチューナ３１１の出力がＱＡＭ復調器３１２に供給される。ＱＡＭ復調器３１２により、ＱＡＭの復調処理が行われる。ＱＡＭ復調器３１２の出力が誤り訂正回路３１３に供給される。誤り訂正回路３１３は、ＥＣＣデコーダとして機能し、リード・ソロモン符号によるエラー訂正処理を行う。
【００５０】
誤り訂正回路３１３の出力がデスクランブラ３２１に供給される。デスクランブラ３２１には、カードインターフェース３３３に装着されているＩＣカードに記憶されているデスクランブル用の鍵データが制御部３９０を介して供給される。デスクランブラ３２１は、このＩＣカードの鍵データを用いて、ＭＰＥＧトランスポートストリームのデスクランブルを行なう。デスクランブルされたＭＰＥＧ２のトランスポートストリームは、デマルチプレクサ３２２に送られる。
【００５１】
デマルチプレクサ３２２は、制御部３９０からの制御に基づき、データバッファ３２３を用いて、デスクランブラ３２１からのストリームの中から所望のパケットを分離する。伝送パケットには、ヘッダ部にパケット識別子（ＰＩＤ）が記述されている。デマルチプレクサ３２２では、このＰＩＤに基づいて、所望のプログラム（番組）の映像パケット及び音声パケットならびにプログラムに関する情報が抽出される。この所望のプログラムの映像パケットは、画像処理部３２５に送られ、音声パケットは、音声処理部３２４に送られる。プログラム仕様情報は、制御部３９０に送られる。
【００５２】
画像処理部３２５は、デマルチプレクサ３２２からの映像信号のパケットを受け取り、ＭＰＥＧ２方式のデコード処理を行なって、ビデオ信号を形成する。このビデオ信号は、加算回路３２７に供給される。加算回路３２７には、重ね合せ（ＯＳＤ：Ｏｎ  Ｓｃｒｅｅｎ  Ｄｉｓｐｌａｙ）回路３２６から、オンスクリーン表示信号が供給される。このオンスクリーン表示信号は、制御部３９０からの信号に基づいて発生される。加算回路３２７の出力が映像出力信号線３９２から出力される。
【００５３】
音声処理部３２４は、デマルチプレクサ３２２からの音声パケットを受け取り、ＭＰＥＧ方式の音声デコード処理を行なって、オーディオ信号を形成する。音声処理部３２４の出力は、音声出力信号線３９１から出力される。
【００５４】
受信装置３００を操作するための入力は、操作部３３４により行われる。操作部３３４は、例えば、キーボード等であり、その出力は制御部３９０に供給される。また、（図示しない）リモートコントローラからの赤外線信号が受光部３３５で受光され、この信号が制御部３９０に供給される。また、制御部３９０の出力が表示部３３２に供給され、各種の設定状態が表示部３３２に表示される。また、制御部３９０は、モデム３３１を介して電話回線３９３に接続できるようになっている。
【００５５】
また、制御部３９０には、ＲＯＭ（Ｒｅａｄ  Ｏｎｌｙ  Ｍｅｍｏｒｙ）３４１およびＲＡＭ（Ｒａｎｄｏｍ  Ａｃｃｅｓｓ  Ｍｅｍｏｒｙ）３４２に加えて、不揮発メモリ３４３が接続される。ＲＯＭ３４１には、制御部３９０で実行されるプログラム等が保持される。ＲＡＭ３４２は制御部３９０における処理に必要な作業領域が確保される。不揮発メモリ３４３は、受信装置３００の電源を切断した後も記憶内容を保持し続ける機能を有するものであり、例えば、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等が用いられる。不揮発メモリ３４３には、後述する有線周波数テーブル８２０および周波数変換テーブル８３０が保持される。
【００５６】
次に、本発明の実施の形態における放送信号について図面を参照して説明する。
【００５７】
図５は、ＣＳ放送で用いられるＭＰＥＧ２のトランスポートストリーム７００におけるデータ構造を示す図である。トランスポートストリームで配送される信号には、映像データ７７１や音声データ７７２の他に、それらとプログラム（番組）との関係を規定する制御用のテーブルが含まれる。この制御用のテーブルは、プログラム仕様情報（ＰＳＩ：Ｐｒｏｇｒａｍ  Ｓｐｅｃｉｆｉｃ  Ｉｎｆｏｒｍａｔｉｏｎ）と呼ばれる。プログラム仕様情報（ＰＳＩ）には、プログラム結合テーブル（ＰＡＴ：Ｐｒｏｇｒａｍ  Ａｓｓｏｃｉａｔｉｏｎ  Ｔａｂｌｅ）７１０、プログラムマップテーブル（ＰＭＴ：Ｐｒｏｇｒａｍ  Ｍａｐ  Ｔａｂｌｅ）７２０、および、ネットワーク情報テーブル（ＮＩＴ：Ｎｅｔｗｏｒｋ
Ｉｎｆｏｒｍａｔｉｏｎ  Ｔａｂｌｅ）７３０等がある。
【００５８】
プログラム結合テーブル（ＰＡＴ）７１０は、トランスポートストリーム７００毎に設けられ、そのトランスポートストリーム７００内にどのようなプログラムが含まれているかを示すテーブルである。プログラムマップテーブル（ＰＭＴ）７２０は、プログラム毎に設けられ、そのプログラムに含まれる映像データ７７１および音声データ７７２を識別するためのパケット識別子（ＰＩＤ）やその復号方法を指定するテーブルである。このプログラムマップテーブル（ＰＭＴ）７２０のパケット識別子（ＰＩＤ）は、プログラム結合テーブル（ＰＡＴ）７１０により指定される。ネットワーク情報テーブル（ＮＩＴ）７３０は、受信しているトランスポートストリーム７００を含むネットワークおよびそれ以外のネットワークにおいてどのようなサービスがあるかを示すテーブルである。なお、ＭＰＥＧ２のトランスポートストリーム７００において、プログラム（番組）およびサービスは同義として扱われる。
【００５９】
図６は、トランスポートストリーム７００のパケット構成を示す図である。トランスポートストリームパケットは、パケットヘッダ７０１とペイロードから構成される。パケットヘッダ７０１には、同期バイトや誤り表示ビット等の他、パケット識別子（ＰＩＤ）７０２が含まれる。このパケット識別子（ＰＩＤ）７０２は、各トランスポートストリームパケットを識別するためのものであり、特にプログラム結合テーブル（ＰＡＴ）７１０の場合は「０ｘ００００」（「０ｘ」は１６進表記であることを示す）、ネットワーク情報テーブル（ＮＩＴ）７３０の場合は「０ｘ００１０」を示す。プログラムマップテーブル（ＰＭＴ）７２０のパケット識別子（ＰＩＤ）７０２は、後述のようにプログラム結合テーブル（ＰＡＴ）７１０により指定される。
【００６０】
パケット識別子（ＰＩＤ）７０２がこれらのテーブルを示している場合、ペイロードにはＰＳＩセクション７０３が保持される。このＰＳＩセクション７０３の内容として、パケット識別子（ＰＩＤ）７０２に示されたテーブルが保持される。
【００６１】
図７は、プログラム結合テーブル（ＰＡＴ）７１０の構成を示す図である。プログラム結合テーブル（ＰＡＴ）７１０の場合、テーブル識別子７１１は「０ｘ００」を示す。セクション長７１２は、その直後からプログラム結合テーブル（ＰＡＴ）７１０の最後までのバイト長を表す。ＴＳ識別子７１３は、トランスポートストリームを識別するものであり、衛星の場合にはトランスポンダに相当する。
【００６２】
繰り返し部のプログラム番号７１４とＰＩＤ７１５の対は、ＴＳ識別子７１３により識別されるトランスポートストリームに含まれるプログラムを示すものである。プログラム番号７１４は、プログラム（番組、サービス）を識別するための番号である。ＰＩＤ７１５は、プログラム番号７１４に対応するプログラムマップテーブル（ＰＭＴ）７２０のパケット識別子（ＰＩＤ）を示す。但し、プログラム番号７１４が「０ｘ００００」の場合には、このＰＩＤ７１５は、ネットワーク情報テーブル（ＮＩＴ）７３０のパケット識別子（ＰＩＤ）を示す。また、ＣＲＣ（Ｃｙｃｌｉｃ  Ｒｅｄｕｎｄａｎｃｙ  Ｃｈｅｃｋ）７１９は、誤り検出コードであり、セクション（この場合はＰＡＴ７１０）全体を処理した後に出力がゼロになるようなＣＲＣ値が選ばれる。
【００６３】
図８は、プログラムマップテーブル（ＰＭＴ）７２０の構成を示す図である。プログラムマップテーブル（ＰＭＴ）７２０の場合、テーブル識別子７２１は「０ｘ０２」を示す。セクション長７２２は、セクション長７１２と同様に、その直後からプログラムマップテーブル（ＰＭＴ）７２０の最後までのバイト長を表す。プログラム番号７２３は、プログラム番号７１４と同様に、プログラム（番組、サービス）を識別するための番号である。
【００６４】
繰り返し部は、プログラム番号７２３により識別されるプログラムの内容を記述するものである。ストリームタイプ７２４は、映像および音声等の伝送される信号の種類を示すものである。エレメンタリＰＩＤ７２５は、エレメンタリストリームのパケット識別子（ＰＩＤ）を示すものである。ＥＳ情報長７２６は、その直後の記述子（ディスクリプタ）７２７の長さを示すものである。記述子（ディスクリプタ）７２７は、そのエレメンタリストリームの情報を記述するものである。また、繰り返し部に続くＣＲＣ７２９は、ＣＲＣ７１９と同様に、誤り検出コードを保持するものである。
【００６５】
このように、プログラム結合テーブル（ＰＡＴ）７１０によりプログラムマップテーブル（ＰＭＴ）７２０を指定し、プログラムマップテーブル（ＰＭＴ）７２０により映像データ７７１および音声データ７７２を指定するという、二重間接指定方式が採られている。
【００６６】
図９は、ネットワーク情報テーブル（ＮＩＴ）７３０の構成を示す図である。ネットワーク情報テーブル（ＮＩＴ）７３０では、受信しているトランスポートストリーム７００を含むネットワーク（自ネット）に関する情報の場合、テーブル識別子７３１は「０ｘ４０」を示し、それ以外のネットワーク（他ネット）に関する情報の場合、テーブル識別子７３１は「０ｘ４１」を示す。セクション長７３２は、セクション長７１２等と同様に、その直後からネットワーク情報テーブル（ＮＩＴ）７３０の最後までのバイト長を表す。ネットワーク識別子７３３は、そのネットワークを識別するためのものであり、例えば、ＳｋｙＰｅｒｆｅｃｔＴＶの一方の衛星（ＪＣＳＡＴ−３号）では「０ｘ０００１」、もう一方の衛星（ＪＣＳＡＴ−４号）では「０ｘ０００３」を示す。バージョン番号７３４は、そのネットワーク情報テーブル（ＮＩＴ）７３０に含まれる情報のバージョン番号を示す。
【００６７】
ＴＳループ長７４０は、その直後の繰り返し部のバイト数を示すものである。繰り返し部では、トランスポートストリーム毎にそのトランスポートストリームに関する情報が記述される。ＴＳ識別子７４１は、プログラム結合テーブル（ＰＡＴ）７１０のＴＳ識別子７１３と同様に、トランスポートストリームを識別するものである。オリジナルネットワーク識別子７４２は、元の分配システムのネットワーク識別子を示すものであり、トランスポートストリームを発生したネットワークにおいてネットワーク情報テーブル（ＮＩＴ）７３０が伝送された場合には、ネットワーク識別子７３３と同一値となる。
【００６８】
ＴＳ記述子長７４３は、その直後の記述子（ディスクリプタ）７４４の全体のバイト数を示すものである。記述子（ディスクリプタ）７４４は、そのネットワークに関する情報を記述するものである。この記述子（ディスクリプタ）７４４としては、そのネットワークの分配システムに関する記述子や、提供されるサービス（プログラム）に関する記述子がある。また、繰り返し部に続くＣＲＣ７３９は、ＣＲＣ７１９等と同様に、誤り検出コードを保持するものである。
【００６９】
図１０は、ネットワーク情報テーブル（ＮＩＴ）７３０の記述子（ディスクリプタ）７４４に含まれる衛星分配システム記述子７５０の構成を示す図である。衛星分配システム記述子７５０では、記述子タグ７５１は「０ｘ４３」を示す。記述子長７５２は、記述子のデータ長を示す。周波数７５３は、ネットワーク情報テーブル（ＮＩＴ）７３０のＴＳ識別子７４１により識別されるトランスポートストリームの伝送周波数を示すものである。軌道７５４は、衛星の軌道位置の経度を示すものである。
【００７０】
東経西経フラグ７５５は、衛星の軌道位置が東経および西経の何れであるかを示すものである。偏波７５６は、伝送される信号の偏波として、水平偏波、垂直偏波、左旋円偏波、右旋円偏波の何れであるかを示すものである。変調７５７は、変調方式を示すものであり、ＣＳ放送の場合、ＱＰＳＫ変調を表す「０ｘ０１」を示す。ＦＥＣ（Ｆｏｒｗａｒｄ  Ｅｒｒｏｒ  Ｃｏｒｒｅｃｔｉｏｎ：前方誤り訂正）７５９は、内符号の符号化率を示すものである。
【００７１】
図１１は、ネットワーク情報テーブル（ＮＩＴ）７３０の記述子（ディスクリプタ）７４４に含まれるサービスリスト記述子７６０の構成を示す図である。サービスリスト記述子７６０では、記述子タグ７５１は「０ｘ４１」を示す。記述子長７６２は、記述子長７５２と同様に、記述子のデータ長を示す。
【００７２】
繰り返し部では、ネットワーク情報テーブル（ＮＩＴ）７３０のＴＳ識別子７４１で識別されるトランスポートストリームにおいて提供されているサービス（プログラム）に関する情報が記述される。サービス識別子（ＳＩＤ）７６３は、そのサービスを識別するためのものであり、プログラム結合テーブル（ＰＡＴ）７１０のプログラム番号７１４やプログラムマップテーブル（ＰＭＴ）７２０のプログラム番号７２３と同様のものである。サービスタイプ７６４は、そのサービス内容の種類を示すものであり、プログラムマップテーブル（ＰＭＴ）７２０のストリームタイプ７２４と同様のものである。
【００７３】
このように、ネットワーク情報テーブル（ＮＩＴ）７３０では、記述子（ディスクリプタ）７４４において、衛星分配システム記述子７５０の周波数７５３や、サービスリスト記述子７６０のサービス識別子（ＳＩＤ）７６３等が、各ネットワークにおけるトランスポートストリーム（チャンネル）毎に提供される。
【００７４】
次に、本発明の実施の形態における周波数変換について図面を参照して説明する。
【００７５】
図１２は、本発明の実施の形態における周波数変換の概念を示す図である。ここまでに説明したとおり、受信装置３００において受信された信号には、各ネットワークにおけるトランスポートストリーム（チャンネル）に関する情報が含まれている。このチャンネルに関する情報は、図１２では衛星系受信チャンネル情報８１０として表されている。この衛星系受信チャンネル情報８１０には、衛星分配システム記述子７５０の周波数７５３や、サービスリスト記述子７６０のサービス識別子（ＳＩＤ）７６３等が含まれる。
【００７６】
有線周波数テーブル８２０は、受信装置３００における受信チャンネルとその周波数を保持するテーブルである。有線チャンネル８２１は、共聴再配信設備１０（図１）から提供されるケーブル２０における有線系の再配信チャンネルを示すものである。有線周波数８２２は、対応する有線チャンネル８２１の再配信周波数を示すものである。すなわち、この有線周波数テーブル８２０は、再配信周波数テーブルとして機能する。
【００７７】
共聴再配信設備１０は、変調変換装置１００において再配信する周波数をシフトしているため、受信信号に含まれるチャンネル情報の周波数と実際のケーブル２０上の周波数とは一致しない。そこで、両者の対応付けを行うのが周波数変換テーブル８３０である。受信周波数８３１は、衛星系において伝送された再配信前の周波数である。変換周波数８３２は、変調変換後に有線系において伝送された再配信周波数である。
【００７８】
この周波数変換テーブル８３０は、以下のように周波数サーチモードにおいて生成される。周波数サーチモードに設定されると、受信装置３００（図１）において、有線周波数テーブル８２０に登録されている周波数に基づいて、例えば低い方の周波数から高い方の周波数の順に、制御部３９０からチューナ３１１に選局データが送られる。
【００７９】
そして、設定された周波数で信号が受信できるか否かが判断され、信号が受信できたら、受信信号からネットワーク情報テーブル（ＮＩＴ）７３０が取得され、そのネットワーク情報テーブル（ＮＩＴ）７３０に含まれる衛星系受信チャンネル情報８１０が抽出される。この衛星系受信チャンネル情報８１０は、周波数７５３の昇順に整列される。
【００８０】
その結果、周波数サーチモードにおいて受信できた有線系のチャンネルに対して、整列された衛星系受信チャンネル情報８１０における衛星系チャンネルを割り振っていく。
【００８１】
以上の処理は、ネットワーク毎に行われる必要がある。これにより、周波数変換テーブル８３０が作成される。周波数変換テーブル８３０が作成されると、受信モードに切り替わり、これに基づいて所望のチャンネルを選局できるようになる。
【００８２】
受信モードで、受信装置３００により所望のチャンネルに選局方法する方法としては、（ａ）現状の地上アナログ放送の受信と同様にリモートコントローラの選局ボタンに対応して受信周波数を適当に割り当てる方法と、（ｂ）ＣＳディジタル放送の受信方法と同様にリモコンでサービスＩＤを入力する方法、とが考えられる。
【００８３】
方法（ａ）では、変換周波数８３２をリモートコントローラの選局ボタンに設定しておいて、リモートコントローラの選局ボタンの押下によってチューナ３１１を制御することが考えられる。例えば、選局ボタン「８」を周波数１０５ＭＨｚに設定しておき、その選局ボタンを押下することで、対応するチャンネルの信号を受信することができる。そして、デフォルトのサービス識別子（ＳＩＤ）を決めておくことで、プログラム（番組）を表示することができる。デフォルトのサービス識別子（ＳＩＤ）としては、例えば、最後に視聴した番組のサービス識別子（ＳＩＤ）を記憶しておく方法や、その受信チャンネルの中で最もサービス識別子（ＳＩＤ）の番号の小さい番組を選ぶようすることが考えられる。
【００８４】
その受信チャンネル内で他のサービス識別子（ＳＩＤ）の番組を受信する場合には、周波数変換テーブル８３０を用いて、対応するネットワーク情報テーブル（ＮＩＴ）７３０を参照し、対応するネットワーク情報テーブル（ＮＩＴ）７３０からサービス識別子（ＳＩＤ）７６３を取得する。例えば、受信周波数が周波数１０５ＭＨｚなら、周波数変換テーブル８３０により、１２．６５８ＧＨｚの衛星系受信チャンネル情報８１０を参照する。そして、この衛星系受信チャンネル情報８１０からサービス識別子（ＳＩＤ）７６３が取得される。
【００８５】
方法（ｂ）では、既存のディジタルＣＳ放送の受信機と同様に、入力されたサービス識別子（ＳＩＤ）を含むチャンネルをネットワーク情報テーブル（ＮＩＴ）７３０から検索し、そのサービス識別子（ＳＩＤ）を含むチャンネル周波数を衛星分配システム記述子７５０より取得する。そして、周波数変換テーブル８３０により、ネットワーク情報テーブル（ＮＩＴ）７３０で示される周波数を、対応する有線系チャンネルの周波数に変換して、それを基に選局データをチューナ３１１に指示することで、希望するプログラム（番組）の受信が可能になる。
【００８６】
次に、本発明の実施の形態における周波数変換テーブル８３０の作成の際の画面表示例について図面を参照して説明する。
【００８７】
図１３は、本発明の実施の形態における受信初期設定の開始画面例である。この開始画面は、初めて電源を投入した際や、通信衛星から配信されるチャンネルが変更になった際に、受像装置４００等に表示されるユーザインタフェース画面である。この画面においてユーザが実行ボタンをクリックすると、周波数サーチモードが起動され、上述のように周波数変換テーブル８３０の作成処理が行われる。
【００８８】
図１４は、本発明の実施の形態における周波数変換テーブル８３０の作成処理中の表示画面例である。周波数変換テーブル８３０を作成するためには、再配信されている全てのチャンネルをサーチする必要があるため、ある程度の時間（例えば、数分程度）を要する。周波数変換テーブル８３０が完成していない状態では正常な受信（視聴）を行うことができないため、使用者に故障と思わせないよう何らかの配慮が必要である。故障であると勘違いしたことにより、受信装置３００の電源が切断されて、正常に周波数変換テーブル８３０が作成できなくなるおそれも想定されるからである。そこで、周波数変換テーブル８３０作成中は、図１４のように処理の進行状況を視覚的に表示する。
【００８９】
図１５は、本発明の実施の形態における周波数変換テーブル８３０の作成処理終了後の表示例である。周波数変換テーブル８３０における受信周波数８３１と変換周波数８３２とを対にして画面上に表示している。これにより、変換の前後における周波数情報の相関が視覚的に理解される。
【００９０】
衛星系の伝送で使用されるチャンネルとそれに多重化されているプログラム（番組）内容との相関は、放送サービスを提供している事業者が把握している。従って、利用者からその事業者のカスタマーセンター等に番組視聴状況に対する問合せ等があった場合、衛星における送出装置側の問題であるのか、受信装置側の問題であるのかは比較的容易に判断可能である。しかし、共聴システムにおいて変調変換されて有線系伝送路に再配信されている場合、共聴システムにおける有線系伝送路の空きチャンネル状況によってチャンネル配置は異なってくる。そのため、サービスを提供する事業者のカスタマーセンターではチャンネルと番組情報との相関がとれず、利用者からの問い合わせに問題が生ずることがある。従って、変換の前後における周波数情報の相関を視覚的に表示することは有用である。
【００９１】
図１６は、本発明の実施の形態における周波数変換テーブル８３０の作成処理において不具合が生じた場合の表示例である。この例では、最後の２つの受信周波数に対応する変換周波数が未設定となっている。受信周波数８３１は衛星系受信チャンネル情報８１０から取得されたものであり、サービス（番組）が行われているチャンネルの周波数だけが表示されているはずである。一方、変換周波数８３２は実際に選局して受信できたチャンネルの周波数であるので、例えば、変調変換装置１００における瞬発ノイズ等による間欠故障により受信装置３００が受信し損ねた場合などには取得されないおそれがある。従って、そのような場合には、周波数変換テーブル８３０における受信周波数８３１と変換周波数８３２の数が一致しなくなるおそれがある。
【００９２】
そこで、このように周波数変換テーブル８３０の作成処理において不具合が生じた場合には、画面上に図１６のような表示がされ、ユーザに対して再試行が促される。ユーザに確認することなく周波数変換テーブル８３０を自動的に作成し直すようにしてもよいが、その場合には再試行を行う連続回数にある程度の制限を設ける必要がある。
【００９３】
また、周波数変換テーブル８３０の作成後に、放送サービスを提供している事業者によって衛星系のトランスポンダが追加され、チャンネルが増加するという場合が生じ得る。チャンネルが増加した場合、その分の周波数情報を変換するために、周波数変換テーブル８３０を作成し直す必要がある。そのため、受信装置３００は、ネットワーク情報テーブル（ＮＩＴ）７３０のバージョン番号７３４をチェックしており、バージョン番号７３４が更新される度に周波数情報の数を調べ、周波数変換テーブル８３０中の周波数情報の数と比較する。もし、ネットワーク情報テーブル（ＮＩＴ）７３０の周波数情報の数の方が多ければ、図１６の場合と同様に、ユーザに対して再試行が促される。
【００９４】
ここで、ネットワーク情報テーブル（ＮＩＴ）７３０の周波数情報の数は、以下のようにして認識することができる。例えば、ネットワーク情報テーブル（ＮＩＴ）７３０の記述子（ディスクリプタ）７４４において衛星分配システム記述子７５０を記述子タグ７５１により抽出し、周波数７５３を一つずつ解釈することにより認識することができる。また、ネットワーク情報テーブル（ＮＩＴ）７３０のＴＳループ長７４０の次の繰り返し部の長さを求めて、ＴＳループ長７４０を繰り返し部の長さで割ることにより繰り返し数（すなわち周波数情報の数）を認識することができる。
【００９５】
なお、ここでは衛星系のチャンネルが追加された場合について説明したが、衛星系のチャンネルが削除された場合には、元の周波数やサービス識別子（ＳＩＤ）によって指定がされても、サービスが行われていない旨の表示がされるので、周波数変換テーブル８３０を即座に作成し直さなくても特に支障をきたすことはない。
【００９６】
次に、本発明の実施の形態における受信装置３００の処理の流れについて図面を参照して説明する。なお、ここで説明する各処理は制御部３９０の制御により実現される。
【００９７】
図１７は、本発明の実施の形態における周波数変換テーブル８３０の作成処理の流れを示す図である。まず、周波数サーチモードが起動されると、チューナ３１１は、有線周波数テーブル８２０に従って低い周波数から順次選局を行う（ステップＳ９０１）。制御部３９０は、チューナ３１１において選局された周波数で信号が受信できるか否かを判断する（ステップＳ９０２）。信号が受信できた場合には、フロントエンド部３１０からフロントエンド（Ｆ／Ｅ）ロック信号が出力される。Ｆ／Ｅロック信号は、復調および誤り訂正が正常に行われ、正しくトランスポートストリームが出力されたことを示す信号である。正常に受信できなかった場合には、次の周波数により再び選局が行われる（ステップＳ９０１）。
【００９８】
ステップＳ９０１において正常に受信された場合には（ステップＳ９０２）、その受信信号からネットワーク情報テーブル（ＮＩＴ）７３０が抽出される（ステップＳ９０４）。但し、既にそのネットワークに関してネットワーク情報テーブル（ＮＩＴ）７３０が取得されている場合には、ネットワーク情報テーブル（ＮＩＴ）７３０を抽出せずにステップＳ９０９の周波数の割振り処理（ステップＳ９０９）に移る（ステップＳ９０３）。ネットワーク情報テーブル（ＮＩＴ）７３０は、一度取得してしまえばそのネットワークに属する全てのチャンネルに関する情報が得られるからである。
【００９９】
ステップＳ９０４においてネットワーク情報テーブル（ＮＩＴ）７３０が取得できない場合には（ステップＳ９０５）、次の周波数により再び選局が行われる（ステップＳ９０１）。例えば、受信信号が放送波を含まない場合には、ネットワーク情報テーブル（ＮＩＴ）７３０が取得できないことがある。
【０１００】
ステップＳ９０４においてネットワーク情報テーブル（ＮＩＴ）７３０が取得できた場合には、そのネットワーク情報テーブル（ＮＩＴ）７３０のネットワーク識別子７３３により、対象ネットワークによる信号であるか否かが判断される（ステップＳ９０６）。対象とすべきネットワークが複数ある場合、まず最初に特定の一つのネットワークを対象ネットワークとし、そのネットワーク内の全てのチャンネルを割り振った後で次のネットワークを対象ネットワークとする必要がある。これは、上述の周波数配置の第１の規則に準拠させるためである。このステップＳ９０６において対象ネットワークによる信号でないと判断された場合には、次の周波数により再び選局が行われる（ステップＳ９０１）。
【０１０１】
ステップＳ９０６において対象ネットワークによる信号であると判断された場合には、ネットワーク情報テーブル（ＮＩＴ）７３０の記述子（ディスクリプタ）７４４により、衛星放送のサービスが行われているか否かが判断される（ステップＳ９０７）。具体的には、記述子（ディスクリプタ）７４４に衛星分配システム記述子７５０の記述子タグ７５１（「０ｘ４３」）が含まれているか否かの判断がされる。ちなみに、記述子タグが「０ｘ４４」であれば有線放送サービスであり、「０ｘＦＡ」であれば地上波放送サービスであるので、その場合には、次の周波数により再び選局が行われる（ステップＳ９０１）。
【０１０２】
ステップＳ９０７において衛星放送サービスであると判断された場合には、ネットワーク情報テーブル（ＮＩＴ）７３０の記述子（ディスクリプタ）７４４が取得され、衛星分配システム記述子７５０の周波数７５３の昇順に整列される（ステップＳ９０８）。記述子（ディスクリプタ）７４４には、衛星系受信チャンネル情報８１０に示すようにネットワーク（衛星）上の複数のチャンネルに関する情報が順不同に含まれている。そこで、ステップＳ９０８においてこれらを周波数順に整列する。これは、上述の周波数配置の第２の規則に準拠させるためである。
【０１０３】
このようにして整列された衛星分配システム記述子７５０の周波数７５３は、周波数変換テーブル８３０の受信周波数８３１に順番に配置される。また、選局された有線系の周波数が、周波数変換テーブル８３０の変換周波数８３２に順番に割り振られる（ステップＳ９０９）。一度受信に成功すれば、その受信信号により得られるネットワーク情報テーブル（ＮＩＴ）７３０は、同一のネットワーク（衛星）では共通である。従って、受信周波数８３１は最初にまとめて登録すれば足りる。しかし、変換周波数８３２は一つずつ選局して（ステップＳ９０１）正常なチャンネルを確認（ステップＳ９０２乃至Ｓ９０７）する必要がある。従って、有線周波数テーブル８２０の全てのチャンネルを確認するまで選局を繰り返す（ステップＳ９１１）。
【０１０４】
対象ネットワーク内の全てのチャンネルを確認して周波数変換テーブル８３０への登録を完了した後、他に対象とすべきネットワークが存在すれば、次にそのネットワークを対象ネットワークとして上述の処理を繰り返す（ステップＳ９１２）。
【０１０５】
対象とすべき全てのネットワークについて処理が終了すると、周波数変換テーブル８３０が正常に生成されたか、エラーが発生していないかをチェックする処理が行われる（ステップＳ９２０）。
【０１０６】
図１８は、本発明の実施の形態における周波数変換テーブル８３０作成後のエラー処理（図１７のステップＳ９２０）の流れを示す図である。作成された周波数変換テーブル８３０における受信周波数８３１の数と変換周波数８３２の数が一致していれば（ステップＳ９２１）、図１５のように周波数変換テーブル８３０の作成完了の表示がされる（ステップＳ９２２）。
【０１０７】
一方、ステップＳ９２１において受信周波数８３１の数と変換周波数８３２の数が一致していなかった場合には、図１６のように周波数変換テーブル８３０の作成処理に不具合があった旨の表示がされ、再試行（リトライ）を促す表示がされる（ステップＳ９２３）。この再試行表示に従い、ユーザが再試行を選択した場合には（ステップＳ９２４）、図１７のステップＳ９０１に戻って選局が行われる。一方、ステップＳ９２４においてユーザが再試行を選択せずに強制終了を選択した場合には、強制終了の旨を表示し（ステップＳ９２５）、周波数変換テーブル８３０を作成し直すことをせずに処理を終了する。
【０１０８】
図１９は、本発明の実施の形態における受信モードの動作の一例の流れを示す図である。この図１９の例では、（図示しない）リモートコントローラにより「Ｍ」チャンネルが指定された場合の動作例を示している。
【０１０９】
まず、「Ｍ」チャンネルが指定されると、その「Ｍ」チャンネルの有線系の周波数（変換周波数８３２）によって周波数変換テーブル８３０の検索が行われ、対応する衛星系の周波数（受信周波数８３１）が取得される（ステップＳ９７１）。そのような「Ｍ」チャンネルに対応する周波数情報が周波数変換テーブル８３０に存在しない場合には（ステップＳ９７２）、「Ｍ」チャンネルの受信はできない旨の表示がされる（ステップＳ９７３）。
【０１１０】
ステップＳ９７２において「Ｍ」チャンネルに対応する周波数情報が周波数変換テーブル８３０に存在すれば、チューナ３１１に「Ｍ」チャンネルの有線系の周波数が設定されて、受信信号からネットワーク情報テーブル（ＮＩＴ）７３０が取得される（ステップＳ９７５）。「Ｍ」チャンネルに対応する受信周波数８３１と一致する周波数が、受信信号からネットワーク情報テーブル（ＮＩＴ）７３０の衛星分配システム記述子７５０における周波数７５３から検索され、一致が検出された周波数７５３に対応するサービス識別子（ＳＩＤ）７６３がサービスリスト記述子７６０から抽出される。ここで、複数のサービス識別子（ＳＩＤ）７６３が抽出された場合には、上述のように、例えば、最後に視聴した番組のサービス識別子（ＳＩＤ）を記憶しておく方法や、その受信チャンネルの中で最もサービス識別子（ＳＩＤ）の番号の小さい番組を選ぶようすることが考えられる。
【０１１１】
そして、プログラム結合テーブル（ＰＡＴ）７１０が取得され、上で得られたサービス識別子（ＳＩＤ）と一致するプログラム番号７１４が検索される（ステップＳ９７６）。そして、検索されたプログラム番号７１４に対応するパケット識別子（ＰＩＤ）７１５が取得される。
【０１１２】
このように取得されたパケット識別子（ＰＩＤ）７１５により、次にプログラムマップテーブル（ＰＭＴ）７２０が取得される（ステップＳ９７７）。このプログラムマップテーブル（ＰＭＴ）７２０からストリームタイプ７２４毎にエレメンタリＰＩＤ７２５が認識される。このエレメンタリＰＩＤ７２５により、ビデオパケット及びオーディオパケットが分離される（ステップＳ９７８）。これにより、所望の「Ｍ」チャンネルの受信がなされる。
【０１１３】
図２０は、本発明の実施の形態における受信モードの動作の他の例の流れを示す図である。この図２０の例では、（図示しない）リモートコントローラにより特定のサービス識別子（ＳＩＤ）が指定された場合の動作例を示している。
【０１１４】
まず、サービス識別子（ＳＩＤ）が指定されると、予め受信していたネットワーク情報テーブル（ＮＩＴ）７３０（衛星系受信チャンネル情報８１０）の衛星分配システム記述子７５０（図１２）においてそのサービス識別子（ＳＩＤ）に一致するチャンネルが検索され、衛星系の周波数７５３が取得される（ステップＳ９８１）。そのようなサービス識別子（ＳＩＤ）に対応する周波数情報が衛星系受信チャンネル情報８１０に存在しない場合には（ステップＳ９８２）、そのサービス識別子（ＳＩＤ）の受信はできない旨の表示がされる（ステップＳ９８３）。
【０１１５】
ステップＳ９８２においてサービス識別子（ＳＩＤ）に一致するチャンネルが検索された場合には、周波数変換テーブル８３０によってその衛星系の周波数７５３（受信周波数８３１）は有線系の周波数（変換周波数８３２）に変換される（ステップＳ９８４）。この有線系の周波数がチューナ３１１に設定されて、信号が受信される（ステップＳ９８５）。
【０１１６】
これにより、プログラム結合テーブル（ＰＡＴ）７１０が取得され、目的のサービス識別子（ＳＩＤ）と一致するプログラム番号７１４が検索される（ステップＳ９８６）。そして、検索されたプログラム番号７１４に対応するパケット識別子（ＰＩＤ）７１５が取得される。
【０１１７】
このように取得されたパケット識別子（ＰＩＤ）７１５により、次にプログラムマップテーブル（ＰＭＴ）７２０が取得される（ステップＳ９８７）。このプログラムマップテーブル（ＰＭＴ）７２０からストリームタイプ７２４毎にエレメンタリＰＩＤ７２５が認識される。このエレメンタリＰＩＤ７２５により、ビデオパケット及びオーディオパケットが分離される（ステップＳ９８８）。これにより、所望のサービス識別子（ＳＩＤ）に対応するチャンネルの受信がなされる。
【０１１８】
図２１は、本発明の実施の形態における周波数変換テーブル８３０作成の再試行を促す処理の流れを示す図である。上述のように、周波数変換テーブル８３０の作成後に、放送サービスを提供している事業者によって衛星系のトランスポンダが追加され、チャンネルが増加した場合に対処するための処理である。
【０１１９】
受信装置３００は、通常時の動作として、受信信号においてネットワーク情報テーブル（ＮＩＴ）７３０のバージョン番号７３４をチェックする（ステップＳ９９１）。バージョン番号７３４が更新されていなければ特別な処理は行わない（ステップＳ９９２）。
【０１２０】
ステップＳ９９２においてバージョン番号７３４が更新されていれば、衛星系受信チャンネル情報８１０を更新する（ステップＳ９９３）。そして、更新された衛星系受信チャンネル情報８１０における周波数情報の数を確認し、周波数変換テーブル８３０における周波数情報の数と比較する（ステップＳ９９４）。その結果、更新された衛星系受信チャンネル情報８１０における周波数情報の数が周波数変換テーブル８３０における周波数情報の数よりも多ければ、周波数変換テーブル８３０作成の再試行を促すメッセージを表示する（ステップＳ９９５）。
【０１２１】
これにより、衛星系のチャンネルが増加した場合であっても、周波数変換テーブル８３０を適宜、作成し直すことができる。
【０１２２】
このように、本発明の実施の形態によれば、共聴システムの変調変換装置１００における周波数配置に一定の規則を与えておいて、受信装置３００においてネットワーク毎に衛星系受信チャンネル情報８１０を整列した上で正常に受信可能なチャンネルに割り振ることにより、衛星系の周波数情報と有線系の周波数情報とを対応付けることができる。すなわち、変調変換装置１００における周波数配置を工夫することにより、受信装置３００における周波数設定を簡素な手順により実現することができる。
【０１２３】
また、本発明の実施の形態によれば、周波数設定の不具合が発生した場合や衛星系のチャンネルが増加した場合に、これらを検知して周波数設定の再試行を促すことができる。
【０１２４】
なお、本発明の実施の形態では、変調変換装置１００における周波数配置で衛星系周波数の昇順に配置することとして、受信装置３００においても衛星系周波数を昇順に整列しているが、この順序は変調変換装置１００と受信装置３００との間で一致していればよい。従って、変調変換装置１００における周波数配置で衛星系周波数の降順に配置することとして、受信装置３００においても衛星系周波数の降順に整列するようにしてもよい。
【０１２５】
また、本発明の実施の形態では、変調変換装置１００における周波数配置で有線系周波数の昇順に割り振ることとして、受信装置３００においても有線系周波数の昇順に割り振りを行っているが、この順序は変調変換装置１００と受信装置３００との間で一致していればよい。従って、変調変換装置１００における周波数配置で有線系周波数の降順に割り振ることとして、受信装置３００においても有線系周波数の降順に割り振るようにしてもよい。
【０１２６】
また、ここでは本発明の実施の形態を例示したものであり、本発明はこれに限られず、本発明の要旨を逸脱しない範囲において種々の変形を施すことができる。
【０１２７】
また、ここで説明した処理手順はこれら一連の手順を有する方法として捉えてもよく、これら一連の手順をコンピュータに実行させるためのプログラム乃至そのプログラムを記憶する記録媒体として捉えてもよい。
【０１２８】
【発明の効果】
以上の説明で明らかなように、本発明によると、共聴システムにおいて、放送信号に含まれる再配信前の周波数情報とケーブルを介して実際に伝送される信号の再配信周波数との対応付けを受信装置側で管理することができるという効果が得られる。
【図面の簡単な説明】
【図１】本発明の実施の形態における共聴システムの一例を示す図である。
【図２】本発明の実施の形態における共聴再配信設備１０の変調変換装置１００の構成例を示す図である。
【図３】本発明の実施の形態における周波数配置の一例を示す図である。
【図４】本発明の実施の形態における受信装置３００の構成を示す図である。
【図５】ＭＰＥＧ２のトランスポートストリーム７００におけるデータ構造を示す図である。
【図６】トランスポートストリーム７００のパケット構成を示す図である。
【図７】プログラム結合テーブル（ＰＡＴ）７１０の構成を示す図である。
【図８】プログラムマップテーブル（ＰＭＴ）７２０の構成を示す図である。
【図９】ネットワーク情報テーブル（ＮＩＴ）７３０の構成を示す図である。
【図１０】衛星分配システム記述子７５０の構成を示す図である。
【図１１】サービスリスト記述子７６０の構成を示す図である。
【図１２】本発明の実施の形態における周波数変換の概念を示す図である。
【図１３】本発明の実施の形態における受信初期設定の開始画面例である。
【図１４】本発明の実施の形態における周波数変換テーブル８３０の作成処理中の表示画面例である。
【図１５】本発明の実施の形態における周波数変換テーブル８３０の作成処理終了後の表示例である。
【図１６】本発明の実施の形態における周波数変換テーブル８３０の作成処理において不具合が生じた場合の表示例である。
【図１７】本発明の実施の形態における周波数変換テーブル８３０の作成処理の流れを示す図である。
【図１８】本発明の実施の形態における周波数変換テーブル８３０作成後のエラー処理の流れを示す図である。
【図１９】本発明の実施の形態における受信モードの動作の一例の流れを示す図である。
【図２０】本発明の実施の形態における受信モードの動作の他の例の流れを示す図である。
【図２１】本発明の実施の形態における周波数変換テーブル８３０作成の再試行を促す処理の流れを示す図である。
【符号の説明】
１０  共聴再配信設備
２０  ケーブル
３０  受信設備
１００  変調変換装置
１０１  アンテナ
１１０  信号処理部
１１１  チューナ
１１２  ＱＰＳＫ復調器
１１３  ＥＣＣデコーダ
１１４  ＥＣＣエンコーダ
１１５  ＱＡＭ変調器
１１６  周波数変換器
１１７  インターフェース
１２０  制御部
１２１  操作部
１２２  表示部
１５０  合成器
１５９  信号線
２００  ブースタ
２０１  ＶＨＦアンテナ
２０２  ＵＨＦアンテナ
２０３  ＢＳアンテナ
３００  受信装置
３０１  入力信号線
３１０  フロントエンド部
３１１  チューナ
３１２  復調器
３１３  訂正回路
３２１  デスクランブラ
３２２  デマルチプレクサ
３２３  データバッファ
３２４  音声処理部
３２５  画像処理部
３２６  重ね合せ回路
３２７  加算回路
３３１  モデム
３３２  表示部
３３３  カードインターフェース
３３４  操作部
３３５  受光部
３４３  不揮発メモリ
３９０  制御部
３９１  音声出力信号線
３９２  映像出力信号線
３９３  電話回線
４００  受像装置
７００  トランスポートストリーム（ＴＳ）
７１０  プログラム結合テーブル（ＰＡＴ）
７２０  プログラムマップテーブル（ＰＭＴ）
７３０  ネットワーク情報テーブル（ＮＩＴ）
７５０  衛星分配システム記述子
７６０  サービスリスト記述子
８１０  衛星系受信チャンネル情報
８２０  有線周波数テーブル
８３０  周波数変換テーブル
【図１】
2004266365.tif 000003
【図２】
2004266365.tif 000004
【図３】
2004266365.tif 000005
【図４】
2004266365.tif 000006
【図５】
2004266365.tif 000007
【図６】
2004266365.tif 000008
【図７】
2004266365.tif 000009
【図８】
2004266365.tif 000010
【図９】
2004266365.tif 000011
【図１０】
2004266365.tif 000012
【図１１】
2004266365.tif 000013
【図１２】
2004266365.tif 000014
【図１３】
2004266365.tif 000015
【図１４】
2004266365.tif 000016
【図１５】
2004266365.tif 000017
【図１６】
2004266365.tif 000018
【図１７】
2004266365.tif 000019
【図１８】
2004266365.tif 000020
【図１９】
2004266365.tif 000021
【図２０】
2004266365.tif 000022
【図２１】
2004266365.tif 000023